(57)【特許請求の範囲】
【請求項１】
移動通信システムにおける基地局と通信端末装置との間の無線通信の設定を制御するサーバであって、
前記基地局のセルに在圏する複数の通信端末装置それぞれの移動速度情報を取得する情報取得手段と、
前記複数の通信端末装置の移動速度情報に基づいて、前記基地局から前記複数の通信端末装置に送信する下りリンク及び前記複数の通信端末装置から前記基地局に送信する上りリンクの両方の無線リソースにおける復調用参照信号の割当量を決定する決定手段と、
を備え、
前記復調用参照信号の割当量又は前記復調用参照信号の割当構成の情報を、前記基地局に、前記移動通信システムのコアネットワーク装置に、又は、前記移動通信システムのコアネットワークに接続されて前記通信端末装置の移動を関するアプリケーションを管理するアプリケーションサーバにフィードバックし、
前記決定手段で決定した前記復調用参照信号の割当量の情報を、前記通信端末装置が搭載されている車両の移動を関するＶ２Ｘサービスの品質を規定するＱｏＳ（Ｑｕａｌｉｔｙ  ｏｆ  Ｓｅｒｖｉｃｅ）の情報の一部として、前記移動通信システムのコアネットワーク装置にフィードバックする、ことを特徴とするサーバ。
【請求項２】
移動通信システムにおける基地局と通信端末装置との間の無線通信の設定を制御するサーバであって、
前記基地局のセルに在圏する複数の通信端末装置それぞれの移動速度情報を取得する情報取得手段と、
前記複数の通信端末装置の移動速度情報に基づいて、前記基地局から前記複数の通信端末装置に送信する無線リソースにおける復調用参照信号の割当量を決定する決定手段と、
前記決定手段で決定した前記復調用参照信号の割当量の情報を、前記通信端末装置が搭載されている車両の移動を関するＶ２Ｘサービスの品質を規定するＱｏＳ（Ｑｕａｌｉｔｙ  ｏｆ  Ｓｅｒｖｉｃｅ）の情報の一部として、前記移動通信システムのコアネットワーク装置にフィードバックする手段と、
を備えることを特徴とするサーバ。
【請求項３】
移動通信システムにおける基地局と通信端末装置との間の無線通信の設定を制御するサーバであって、
前記基地局のセルに在圏する複数の通信端末装置それぞれの移動速度情報を取得する情報取得手段と、
前記複数の通信端末装置の移動速度情報に基づいて、前記基地局から前記複数の通信端末装置に送信する下りリンク及び前記複数の通信端末装置から前記基地局に送信する上りリンクの両方の無線リソースにおける復調用参照信号の割当量を決定する決定手段と、
を備え、
前記情報取得手段は、前記複数の通信端末装置それぞれの移動速度情報及び現在位置情報を取得し、
前記複数の通信端末装置の移動速度情報及び現在位置情報に基づいて、前記基地局のセルにおける前記複数の通信端末装置の数が増加している端末増加エリアを特定するエリア特定手段を更に備え、
前記端末増加エリアの情報を、前記基地局に、前記移動通信システムのコアネットワーク装置に、又は、前記移動通信システムのコアネットワークに接続されて前記通信端末装置の移動を関するアプリケーションを管理するアプリケーションサーバにフィードバックすることを特徴とするサーバ。
【請求項４】
移動通信システムにおける基地局と通信端末装置との間の無線通信の設定を制御するサーバであって、
前記基地局のセルに在圏する複数の通信端末装置それぞれの移動速度情報を取得する情報取得手段と、
前記複数の通信端末装置の移動速度情報に基づいて、前記基地局から前記複数の通信端末装置に送信する下りリンク及び前記複数の通信端末装置から前記基地局に送信する上りリンクの両方の無線リソースにおける復調用参照信号の割当量を決定する決定手段と、
を備え、
当該サーバは、前記移動通信システムのコアネットワーク装置、前記移動通信システムのコアネットワークとは異なる外部ネットワークに設けられたサーバ、前記基地局に接続されたエッジコンピュータ装置、又は、前記基地局と前記コアネットワークとの間のインターフェースに接続されたエッジコンピュータ装置であることを特徴とするサーバ。
【請求項５】
通信システムであって、
移動通信システムにおける基地局と、前記基地局と通信端末装置との間の無線通信の設定を制御するサーバと、を備え、
前記サーバは、
前記基地局のセルに在圏する複数の通信端末装置それぞれの移動速度情報を取得する情報取得手段と、
前記複数の通信端末装置の移動速度情報に基づいて、前記基地局から前記複数の通信端末装置に送信する下りリンク及び前記複数の通信端末装置から前記基地局に送信する上りリンクの両方の無線リソースにおける復調用参照信号の割当量を決定する決定手段と、を備え、
前記サーバの前記情報取得手段は、前記複数の通信端末装置それぞれの移動速度情報及び現在位置情報を取得し、
前記サーバは、前記複数の通信端末装置の移動速度情報及び現在位置情報に基づいて、前記基地局のセルにおける前記複数の通信端末装置の数が増加している端末増加エリアを特定するエリア特定手段を更に備え、
前記基地局は、前記端末増加エリアの情報に基づいて、アンテナの指向性ビームの設定を変更することを特徴とする通信システム。
【請求項６】
請求項５の通信システムにおいて、
前記基地局は、ＭａｓｓｉｖｅＭＩＭＯのアンテナを備え、前記端末増加エリアの情報に基づいて、前記アンテナで形成する複数のビームの本数、前記複数のビームそれぞれの指向性方向、前記複数のビームそれぞれのビーム幅及び前記複数のビームそれぞれの外縁形状の少なくとも一つの設定を変更することを特徴とする通信システム。
【請求項７】
請求項６の通信システムにおいて、
前記基地局は、
平常時には、前記ＭａｓｓｉｖｅＭＩＭＯのアンテナにおける複数のビームを前記セルの全体をカバーするように形成し、
前記端末増加エリアの発生時には、前記ＭａｓｓｉｖｅＭＩＭＯのアンテナにおける複数のビームを前記端末増加エリアに絞って形成することを特徴とする通信システム。
【請求項８】
通信システムであって、
移動通信システムにおける基地局と、前記基地局と通信端末装置との間の無線通信の設定を制御するサーバと、前記移動通信システムのコアネットワーク装置と、を備え、
前記サーバは、
前記基地局のセルに在圏する複数の通信端末装置それぞれの移動速度情報を取得する情報取得手段と、
前記複数の通信端末装置の移動速度情報に基づいて、前記基地局から前記複数の通信端末装置に送信する無線リソースにおける復調用参照信号の割当量を決定する決定手段と、
前記決定手段で決定した前記復調用参照信号の割当量の情報を前記コアネットワーク装置に送信してフィードバックする手段と、を備え、
前記コアネットワーク装置は、前記サーバから受信した前記復調用参照信号の割当量の情報に基づいて復調用参照信号割当構成を決定し、その決定した復調用参照信号割当構成の情報を前記基地局に送信して通知する手段を備え、
前記基地局は、前記コアネットワーク装置から受信した前記復調用参照信号割当構成の情報に基づいて、自局内に記憶している復調用参照信号割当構成の設定を更新するとともに、前記復調用参照信号割当構成の情報を自セル内の通信端末装置に報知する手段を備え、
前記通信端末装置は、前記基地局から受信した前記復調用参照信号割当構成の情報に基づいて、当該通信端末装置内に記憶している復調用参照信号割当構成の設定を更新する、
ことを特徴とする通信システム。
【請求項９】
移動通信システムにおける基地局と通信端末装置との間の無線通信の設定を制御する方法であって、
前記基地局のセルに在圏する複数の通信端末装置それぞれの移動速度情報を取得することと、
前記複数の通信端末装置の移動速度情報に基づいて、前記基地局から前記複数の通信端末装置に送信する無線リソースにおける復調用参照信号の割当量を決定することと、
前記復調用参照信号の割当量の情報を、前記通信端末装置が搭載されている車両の移動を関するＶ２Ｘサービスの品質を規定するＱｏＳ（Ｑｕａｌｉｔｙ  ｏｆ  Ｓｅｒｖｉｃｅ）の情報の一部として、前記移動通信システムのコアネットワーク装置にフィードバックすることと、を含むことを特徴とする方法。
【請求項１０】
移動通信システムにおける基地局と通信端末装置との間の無線通信の設定を制御する方法であって、
サーバが、前記基地局のセルに在圏する複数の通信端末装置それぞれの移動速度情報を取得することと、
前記サーバが、前記複数の通信端末装置の移動速度情報に基づいて、前記基地局から前記複数の通信端末装置に送信する無線リソースにおける復調用参照信号の割当量を決定することと、
前記サーバが、前記復調用参照信号の割当量の情報を前記移動通信システムのコアネットワーク装置に送信してフィードバックすることと、
前記コアネットワーク装置が、前記サーバから受信した前記復調用参照信号の割当量の情報に基づいて復調用参照信号割当構成を決定し、その決定した復調用参照信号割当構成の情報を前記基地局に送信して通知することと、
前記基地局が、前記コアネットワーク装置から受信した前記復調用参照信号割当構成の情報に基づいて、自局内に記憶している復調用参照信号割当構成の設定を更新するとともに、前記復調用参照信号割当構成の情報を自セル内の通信端末装置に報知することと、
前記通信端末装置が、前記基地局から受信した前記復調用参照信号割当構成の情報に基づいて、当該通信端末装置内に記憶している復調用参照信号割当構成の設定を更新すること、を含むことを特徴とする方法。
【請求項１１】
移動通信システムにおける基地局と通信端末装置との間の無線通信の設定を制御するサーバに備えるコンピュータ又はプロセッサにおいて実行されるプログラムであって、
前記基地局のセルに在圏する複数の通信端末装置それぞれの移動速度情報を取得するためのプログラムコードと、
前記複数の通信端末装置の移動速度情報に基づいて、前記基地局から前記複数の通信端末装置に送信する無線リソースにおける復調用参照信号の割当量を決定するためのプログラムコードと、
前記復調用参照信号の割当量の情報を、前記通信端末装置が搭載されている車両の移動を関するＶ２Ｘサービスの品質を規定するＱｏＳ（Ｑｕａｌｉｔｙ  ｏｆ  Ｓｅｒｖｉｃｅ）の情報の一部として、前記移動通信システムのコアネットワーク装置にフィードバックするためのプログラムコードと、を含むことを特徴とするプログラム。
【発明の詳細な説明】
【技術分野】
【０００１】
本発明は、基地局と通信端末装置との間の無線通信の設定を制御するサーバ、通信システム、方法及びプログラムに関するものである。
【背景技術】
【０００２】
従来、移動通信システムにおいて、基地局から送信された下りリンクのデータ信号をセル内の通信端末装置（ＵＥ）で復調するために、既知のトレーニング用の参照信号である復調用参照信号（以下「ＤＭＲＳ」ともいう。）を基地局からＵＥにあらかじめ送信することが知られている（非特許文献１参照）。ＵＥは、基地局から受信したＤＭＲＳを用いて下りリンクの伝送路（チャネル）特性を推定し、その推定結果に基づいて下りリンクのデータ信号を復号することができる。ＬＴＥ（Ｌｏｎｇ  Ｔｅｒｍ  Ｅｖｏｌｕｔｉｏｎ）の移動通信システムにおける無線通信方式では、無線リソース上で割当量及び配置パターンが固定されたＤＭＲＳが用いられる。上りリンクも同様に、ＵＥから送信された上りリンクのデータ信号を基地局で復調するために、既知のトレーニング用の参照信号であるＤＭＲＳをＵＥから基地局にあらかじめ送信することが知られている．
【０００３】
また、ＬＴＥの移動通信システムでは、セルを形成する基地局として、アンテナ装置を中心として互いに異なる３方向に３セクタセルを固定的に形成する３セクター型基地局、あるいは、アンテナ装置を中心として単一のオムニセルを固定的に形成するオムニセル型基地局が用いられている。
【先行技術文献】
【非特許文献】
【０００４】
【非特許文献１】３ＧＰＰ  ＴＳ  ３６．２１１  Ｖ１５．７．０  （２０１９−０９）
【発明の概要】
【発明が解決しようとする課題】
【０００５】
上記従来の移動通信システムにおいて上記割当量及び配置パターンが固定にされたＤＭＲＳを基地局からセル内のＵＥに送信する場合、セル内のＵＥの移動状況によってはＤＭＲＳの受信品質が低下してチャネル推定の精度が低下し、下りリンクのスループットが低下するおそれがある。また、上記割当量及び配置パターンが固定にされたＤＭＲＳをセル内のＵＥから基地局に送信する場合、セル内のＵＥの移動状況によってはＤＭＲＳの受信品質が低下してチャネル推定の精度が低下し、上りリンクのスループットが低下するおそれがある。
【０００６】
また、上記移動通信システムにおけるセルにＵＥ数が増加している端末増加エリア（ＵＥ増加エリア）が発生してセル全体のＵＥ数が増大する場合がある。この場合、セルに割り当てられて無線リソースが逼迫し、セル内のＵＥと基地局との間の無線通信の通信品質（例えば遅延特性）が劣化するおそれがある。
【課題を解決するための手段】
【０００７】
本発明の一態様に係るサーバは、移動通信システムにおける基地局と通信端末装置との間の無線通信の設定を制御するサーバである。このサーバは、前記基地局のセルに在圏する複数の通信端末装置それぞれの移動速度情報を取得する情報取得手段と、前記複数の通信端末装置の移動速度情報に基づいて、前記基地局から前記複数の通信端末装置に送信する無線リソースにおける復調用参照信号の割当量を決定する決定手段と、を備える。
本発明の他の態様に係る通信システムは、前記サーバと前記基地局とを備え、前記基地局は、前記復調用参照信号の割当量又は前記復調用参照信号の割当構成の情報に基づいて、前記通信端末装置に送信する無線リソースにおける前記復調用参照信号の割当を設定する。
本発明の更に他の態様に係る方法は、移動通信システムにおける基地局と通信端末装置との間の無線通信の設定を制御する方法である。この方法は、前記基地局のセルに在圏する複数の通信端末装置それぞれの移動速度情報を取得することと、前記複数の通信端末装置の移動速度情報に基づいて、前記基地局から前記複数の通信端末装置に送信する無線リソースにおける復調用参照信号の割当量を決定することと、を含む。
本発明の更に他の態様に係るプログラムは、移動通信システムにおける基地局と通信端末装置との間の無線通信の設定を制御するサーバに備えるコンピュータ又はプロセッサにおいて実行されるプログラムである。このプログラムは、前記基地局のセルに在圏する複数の通信端末装置それぞれの移動速度情報を取得するためのプログラムコードと、前記複数の通信端末装置の移動速度情報に基づいて、前記基地局から前記複数の通信端末装置に送信する無線リソースにおける復調用参照信号の割当量を決定するためのプログラムコードと、を含む。
【０００８】
前記サーバ、前記通信システム、前記方法及び前記プログラムにおいて、前記復調用参照信号の割当量を、前記セルが複数のセクタセルで構成されている場合の前記セクタセルごとに、前記セル内の通信端末装置ごとに、又は、前記セル内の複数の通信端末装置をグループ分けしたグループごとに決定してもよい。
前記サーバ、前記通信システム、前記方法及び前記プログラムにおいて、前記複数の通信端末装置の移動速度情報に基づいて、前記基地局のセル内における複数の通信端末装置の平均速度を算出し、前記平均速度に基づいて前記復調用参照信号の割当量を決定してもよい。
前記サーバ、前記通信システム、前記方法及び前記プログラムにおいて、前記基地局のセルで使用可能な無線リソースにおける割当量が互いに異なる復調用参照信号の複数の割当構成候補を記憶し、前記復調用参照信号の割当量に基づいて、前記複数の割当構成候補から、前記基地局から送信する前記復調用参照信号の割当構成を選択して決定してもよい。
前記サーバ、前記通信システム、前記方法及び前記プログラムにおいて、前記複数の通信端末装置それぞれの移動速度情報及び現在位置情報を取得し、前記複数の通信端末装置の移動速度情報及び現在位置情報に基づいて前記復調用参照信号の割当量を決定してもよい。
前記サーバ、前記通信システム、前記方法及び前記プログラムにおいて、前記復調用参照信号の割当量又は前記復調用参照信号の割当構成の情報を、前記基地局に、前記移動通信システムのコアネットワーク装置に、又は、前記移動通信システムのコアネットワークに接続されて前記通信端末装置の移動を関するアプリケーションを管理するアプリケーションサーバにフィードバックしてもよい。
前記サーバ、前記通信システム、前記方法及び前記プログラムにおいて、前記複数の通信端末装置それぞれの移動速度情報及び現在位置情報を取得し、前記複数の通信端末装置の移動速度情報及び現在位置情報に基づいて、前記基地局のセルにおける前記複数の通信端末装置の数が増加している増加エリアを特定してもよい。
前記サーバ、前記通信システム、前記方法及び前記プログラムにおいて、前記復調用参照信号の割当量又は前記復調用参照信号の割当構成の情報を、前記基地局に、前記移動通信システムのコアネットワーク装置に、又は、前記移動通信システムのコアネットワークに接続されて前記通信端末装置の移動を関するアプリケーションを管理するアプリケーションサーバにフィードバックしてもよい。
【０００９】
本発明の更に他の態様に係るサーバは、移動通信システムにおける基地局と通信端末装置との間の無線通信の設定を制御するサーバである。このサーバは、前記基地局のセルに在圏する複数の通信端末装置それぞれの移動速度情報及び現在位置情報を取得する情報取得手段と、前記複数の通信端末装置の移動速度情報及び現在位置情報に基づいて、前記基地局のセル内において前記複数の通信端末装置の数が増加している増加エリアを特定するエリア特定手段と、を備える。
本発明の更に他の態様に係る方法は、移動通信システムにおける基地局と通信端末装置との間の無線通信の設定を制御する方法である。この方法は、前記基地局のセルに在圏する複数の通信端末装置それぞれの移動速度情報及び現在位置情報を取得することと、前記複数の通信端末装置の移動速度情報及び現在位置情報に基づいて、前記基地局のセル内において前記複数の通信端末装置の数が増加している端末増加エリアを特定することと、を含む。
本発明の更に他の態様に係る通信システムは、前記サーバと前記基地局とを備え、前記基地局は、前記端末増加エリアの情報に基づいて、アンテナの指向性ビームの設定を変更する。
本発明の更に他の態様に係るプログラムは、移動通信システムにおける基地局と通信端末装置との間の無線通信の設定を制御するサーバに備えるコンピュータ又はプロセッサにおいて実行されるプログラムである。このプログラムは、前記基地局のセルに在圏する複数の通信端末装置それぞれの移動速度情報及び現在位置情報を取得するためのプログラムコードと、前記複数の通信端末装置の移動速度情報及び現在位置情報に基づいて、前記基地局のセル内において前記複数の通信端末装置の数が増加している端末増加エリアを特定するためのプログラムコードと、を含む。
【００１０】
前記サーバ、前記通信システム、前記方法及び前記プログラムにおいて、前記端末増加エリアの情報を、前記基地局に、前記移動通信システムのコアネットワーク装置に、又は、前記移動通信システムのコアネットワークに接続されて前記通信端末装置の移動を関するアプリケーションを管理するアプリケーションサーバにフィードバックしてもよい。
前記サーバ、前記通信システム、前記方法及び前記プログラムにおいて、前記端末増加エリアの情報に基づいて、前記基地局のＭａｓｓｉｖｅＭＩＭＯのアンテナで形成する複数のビームの本数、前記複数のビームそれぞれの指向性方向、前記複数のビームそれぞれのビーム幅及び前記複数のビームそれぞれの外縁形状の少なくとも一つの設定を変更してもよい。ここで、平常時には、前記ＭａｓｓｉｖｅＭＩＭＯのアンテナにおける複数のビームを前記セルの全体をカバーするように形成し、前記端末増加エリアの発生時には、前記ＭａｓｓｉｖｅＭＩＭＯのアンテナにおける複数のビームを前記端末増加エリアに絞って形成してもよい。
【００１１】
前記サーバは、前記移動通信システムのコアネットワーク装置、前記移動通信システムのコアネットワークとは異なる外部ネットワークに設けられたサーバ、前記基地局に接続されたエッジコンピュータ装置、又は、前記基地局と前記コアネットワークとの間のインターフェースに接続されたエッジコンピュータ装置であってもよい。
【発明の効果】
【００１２】
本発明によれば、セル内の通信端末装置の移動状況の変化に起因した復調用参照信号の受信品質の低下によるチャネル推定の精度の低下を抑制し、下りリンク及び上りリンクのスループットの低下を防止することができる。
また、本発明によれば、セル内の通信端末装置の位置及び移動状況の変化に起因したセルの全体における通信端末装置の総数の増大によってセルの無線リソースが逼迫するのを回避し、セル内の通信端末装置と基地局との間の無線通信の通信品質の低下を防止することができる。
【図面の簡単な説明】
【００１３】
【図１】実施形態に係る移動通信システムの主要部構成の一例を示す概略構成図。
【図２】図１の実施形態に係る移動通信システムにおける無線通信設定の制御の一例を示すシーケンス図。
【図３】（ａ）〜（ｄ）はそれぞれＤＭＲＳ配置パターン候補の一例を示す図。
【図４】（ａ）及び（ｂ）はそれぞれＤＭＲＳ配置パターン候補の他の例を示す図。
【図５】（ａ）は下りリンクのＤＭＲＳコンフィグパラメータ要素の一例を示す図。（ｂ）は上りリンクのＤＭＲＳコンフィグパラメータ要素の一例を示す図。
【図６】他の実施形態に係る移動通信システムにおける平常時のビームフォーミングの一例を示す概略構成図。
【図７】図６の移動通信システムにおける無線通信設定の制御の一例を示すシーケンス図。
【図８】図６の移動通信システムにおける車両渋滞発生時のビームフォーミングの一例を示す概略構成図。
【発明を実施するための形態】
【００１４】
以下、図面を参照して本発明の実施形態について説明する。ここでは、ＬＴＥ（Long Term Evolution）／ＬＴＥ−Ａｄｖａｎｃｅｄの移動通信システム（以下「ＬＴＥシステム」という。）、第５世代の移動通信システム（以下「５Ｇシステム」という。）への適用を前提に本発明の実施形態を説明するが、類似のセル構成、物理チャネル構成を用いるシステムであれば、本発明の概念はどのようなシステムにも適用可能である。また、伝搬路の推定に用いられる参照信号系列や誤り訂正のために用いられる符号化方式はＬＴＥシステムや５Ｇシステムで定義されているものに限定されず、これらの用途に適合するものであれば、どのような種類のものでも構わない。本発明の実施形態は、第５世代よりも後の次世代の移動通信システム（「ＮＲシステム」ともいう。）に適用してもよい。
【００１５】
図１は、本発明の一実施形態に係る移動通信システムの全体構成の一例を示す概略構成図である。図１において、本実施形態に係る移動通信システムは、５Ｇシステムの例であり、移動通信網のコアネットワーク（例えば、ＥＰＣ、又は、５ＧＣ）１０に接続されたアプリケーションサーバ等のサーバ２０と、所定のインターフェースによりコアネットワーク装置（例えば、ＥＰＣ装置、又は、５ＧＣ装置）１１に接続された基地局３０とを備える。
【００１６】
基地局３０は、例えば５ＧシステムのｇＮｏｄｅＢ（ｇＮＢ）又はｅｎ−ｇＮｏｄｅＢ（ｅｎ−ｇＮＢ）であり、アンテナ３１を介して、自局が形成する無線通信エリアであるセル３０Ａに在圏する通信端末装置（「端末」、「ユーザ端末」、「ユーザ装置」、「ＵＥ」、「移動局」、「移動機」等ともいう。以下「ＵＥ」という。）４０と無線通信することができる。
【００１７】
基地局３０は、例えば基地局装置とアンテナ３１とを備える。基地局装置は、無線部、ベースバンド処理部、外部インターフェース部、制御部などを有する。無線部、基地局装置の本体側（ＢＢＵ）とは別の装置としてアンテナ側に設け、光ケーブルなどを介して基地局装置の本体側（ＢＢＵ）に接続してもよい。アンテナ３１は、無指向性のアンテナでもよいし、所定方向に一又は複数のビームを形成可能な複数素子からなるアンテナ（例えば、アレイアンテナなどのＭａｓｓｉｖｅＭＩＭＯアンテナ）であってもよい。無線部は、例えば、増幅部、周波数変換部、送受信切替部（ＤＵＰ）、直交変復調部等を備える。ベースバンド処理部は、送受信対象の制御情報やユーザデータ（ＩＰパケット）と、無線伝送路上に乗せるＯＦＤＭ信号（ベースバンド信号）の変換（変復調）を行う。変調方式としては、例えばＱＰＳＫ、１６ＱＡＭ、６４ＱＡＭ等を用いることができる。ベースバンド信号は無線部との間で送受される。外部インターフェース部は、回線終端装置及び光回線等のブロードバンド公衆通信回線を介して移動体通信網のコアネットワークに接続され、コアネットワーク上の各種ノードとの間で所定の通信インターフェース及びプロトコルにより通信する。制御部は、例えばＣＰＵやメモリなどで構成され、予め組み込まれたプログラムを実行することにより各部を制御することができる。
【００１８】
ＵＥ４０は、セル内に位置している移動経路としての道路９０を移動する移動体としての車両５０に搭載されている。ＵＥ４０は、例えば、アンテナ、送受信切替部（ＤＵＰ）、受信部、ＣＰ除去部、ＦＦＴ部、信号分離部、伝搬路補償部、復調部、復号部、ＤＭＲＳ伝搬路（チャネル）推定部、信号多重部、ＩＦＦＴ部、ＣＰ挿入部、送信部及び制御部を備える。ＤＭＲＳ伝搬路（チャネル）推定部は、基地局３０から送信されてきた既知の復調用参照信号（ＤＭＲＳ）の受信結果に基づいて、無線伝搬路（等価伝搬路）を推定する。復調部は、無線伝搬路（等価伝搬路）の推定結果に基づいて、送信信号に含まれるデータ信号を復調して復号する。他の各部の構成部分については、従来と同様な機能を有するので、それらの説明は省略する。
【００１９】
なお、図示の例では、基地局３０のセル３０Ａに１台の車両５０に搭載された１つのＵＥ４０が在圏している場合について示しているが、２以上の複数の車両５０に搭載された複数のＵＥ４０が在圏していてもよい。また、車両５０は、地上の移動経路である道路９０を移動する自動車、トラック、バス、バイクなどの移動体であってもよいし、上空などの空間における移動経路を飛行して移動可能な移動体であってもよいし、地下、水上（例えば海上）、水中（例えば海中）などにおける移動経路を移動可能な移動体であってもよい。
【００２０】
コアネットワーク１０は、例えば３ＧＰＰ（３ｒｄ  Ｇｅｎｅｒａｔｉｏｎ  Ｐａｒｔｎｅｒｓｈｉｐ  Ｐｒｏｊｅｃｔ）で規定されたＩＰ（Ｉｎｔｅｒｎｅｔ  Ｐｒｏｔｏｃｏｌ）ベースのＥＰＣ（Ｅｖｏｌｖｅｄ  Ｐａｃｋｅｔ  Ｃｏｒｅ）である。コアネットワーク１０は、５Ｇシステム専用のコアネットワークでもよいし、５ＧシステムとＬＴＥシステムとに兼用されるコアネットワークでもよい。コアネットワーク装置（ＥＰＣ装置、又は、５ＧＣ装置）１１は、例えば３ＧＰＰで規定されたサービスをサードパーティーのアプリケーションプロバイダに提供するための標準インターフェースを有する論理ノードのＳＣＥＦ（Ｓｅｒｖｉｃｅ  Ｃａｐａｂｉｌｉｔｙ  Ｅｘｐｏｓｕｒｅ  Ｆｕｎｃｔｉｏｎ）、又は、ＮＥＦ（Ｎｅｔｗｏｒｋ  Ｅｘｐｏｓｕｒｅ  Ｆｕｎｃｔｉｏｎ）である。コアネットワーク装置（ＥＰＣ装置、又は、５ＧＣ装置）１１は、複数のＶ２Ｘ（Ｖｅｈｉｃｌｅ−ｔｏ−Ｅｖｅｒｙｔｈｉｎｇ）サービスの連携を可能にするＶＡＥ（Ｖ２Ｘ  Ａｐｐｌｉｃａｔｉｏｎ  Ｅｎａｂｌｅｒ）であってもよい。
【００２１】
サーバ２０は、例えばコンピュータ装置で構成され、予め組み込まれたプログラムを実行することにより、次の（１）〜（７）の手段として機能することができる。
（１）基地局３０のセル３０Ａに在圏する複数のＵＥ４０それぞれの移動速度情報を取得する情報取得手段
（２）前記取得した複数のＵＥ４０の移動速度情報に基づいて、基地局３０から複数のＵＥ４０に送信する無線リソースにおける復調用参照信号（以下「ＤＭＲＳ」という。）の割当量を決定する決定手段
（３）基地局３０のセル３０Ａで使用可能な無線リソースにおける割当量が互いに異なるＤＭＲＳの複数の割当構成候補を記憶する記憶手段
（４）ＤＭＲＳの割当量又はＤＭＲＳの割当構成の情報を、基地局３０に、コアネットワーク装置（ＥＰＣ装置）１１に、又は、コアネットワーク１０に接続されてＵＥ４０の移動を関するアプリケーションを管理する前記ＶＡＥなどのアプリケーションサーバにフィードバックする手段
（５）基地局３０のセル３０Ａに在圏する複数のＵＥ４０それぞれの移動速度情報及び現在位置情報を取得する情報取得手段
（６）前記取得した複数のＵＥ４０の移動速度情報及び現在位置情報に基づいて、基地局３０のセル３０Ａにおける複数のＵＥ４０の数が増加している車両５０の渋滞エリアなどのＵＥ増加エリア（端末増加エリア）を特定するエリア特定手段
（７）前記特定したＵＥ増加エリアの情報を、基地局３０に、コアネットワーク装置（ＥＰＣ装置）１１に、又は、コアネットワーク１０に接続されてＵＥ４０の移動を関するアプリケーションを管理する前記ＶＡＥなどのアプリケーションサーバにフィードバックする手段
【００２２】
サーバ２０は、例えばコアネットワーク１０の外側に設けられ、コアネットワーク１０との間で直接又はインターネットなどの外部ネットワークを介して通信することができる。サーバ２０は、基地局３０に設けられたＭＥＣ装置（エッジコンピュータ装置）であってもよい。ＭＥＣ装置からなるサーバ２０は、基地局３０とコアネットワーク１０との間のノード又はコアネットワークの外側に設けてもよい。また、サーバ２０は、コアネットワーク１０に設けてもよい。
【００２３】
ここで、従来のＬＴＥの場合のように無線リソースにおける割当量及び配置パターンが固定にされたＤＭＲＳを基地局３０からセル３０Ａ内のＵＥ４０に送信する場合、セル３０Ａ内のＵＥ４０の移動状況によってはＤＭＲＳの受信品質が低下してチャネル推定の精度が低下し、下りリンクのスループットが低下するおそれがある。また、上記割当量及び配置パターンが固定にされたＤＭＲＳをセル３０Ａ内のＵＥ４０から基地局３０に送信する場合、セル３０Ａ内のＵＥ４０の移動状況によってはＤＭＲＳの受信品質が低下してチャネル推定の精度が低下し、上りリンクのスループットが低下するおそれがある。
【００２４】
そこで、本実施形態では、セル３０Ａ内のＵＥ２０の移動速度に基づいてＤＭＲＳの割当量を決定し、基地局３０に設定している。これにより、セル３０Ａ内のＵＥ４０の移動状況の変化に起因したＤＭＲＳの受信品質の低下によるチャネル推定の精度の低下を抑制し、下りリンクのスループットの低下を防止することができる。更に、本実施形態では、上りリンクについても、スループットの低下を防止することができる。
【００２５】
図２は、実施形態に係る移動通信システムにおける無線通信設定の制御の一例を示すシーケンス図である。本例の無線通信設定の制御は、セル３０Ａに在圏する車両５０に搭載された通信端末装置としてのＵＥ４０の情報を収集する情報収集の段階（ＵＥ情報収集フェーズ）Ｓ１００と、ＤＭＲＳの割当設定制御の段階（設定変更フェーズ）Ｓ１１０とを有する。
【００２６】
図２のＵＥ情報収集フェーズＳ１００において、セル３０Ａに在圏する複数の車両５０のＵＥ４０はそれぞれ、定期的に（例えば、数秒ごとに又は数分ごとに）又は不定期に、自身の移動速度を測定し、その移動速度の情報をサーバ２０に向けて送信する（Ｓ１０１，１０２）。ＵＥ４０から送信された移動速度の情報は、基地局３０及びコアネットワーク１０のＥＰＣ装置１１を介してサーバ２０に到達する（Ｓ１０３，Ｓ１０４）。サーバ２０は、複数のＵＥ４０から受信した移動速度の情報を記憶手段としてのデータベースに記憶する。サーバ２０は、ＵＥ４０の移動速度の情報と、下記の時刻情報及びＵＥ４０の位置情報の少なくとも一つとを互いに関連付けて記憶してもよい。
【００２７】
ＵＥ４０からサーバ２０への移動速度の情報送信頻度は、時間帯やエリアに応じて変化させてもよい。また、サーバ２０への送信情報は、送信時の現在時刻（タイムスタンプ）、移動速度の測定時刻、並びに、車両５０の停止時刻、発進時刻、進行方向及び加速度の少なくとも一つの情報を含んでもよい。車両５０に搭載されたＵＥ４０の移動速度は、例えば車両５０の各種センサ及び駆動制御装置から取得することができる。ＵＥ４０はＧＮＳＳ受信機などの現在位置測定装置を備えてもよい。この場合、ＵＥ４０の移動速度は、ＵＥ４０に記録されている移動履歴情報における位置情報（例えばＧＮＳＳ位置情報）の時間変化（移動距離及び移動時間）に基づいて算出してもよい。
【００２８】
次に、図２のＤＭＲＳの割当設定制御の段階（設定変更フェーズ）Ｓ１１０において、サーバ２０は、セル３０Ａに在圏する複数の車両５０のＵＥ４０それぞれの移動速度の情報に基づいて、セル３０Ａ内の複数のＵＥ４０の平均移動速度Ｖａｖｇを算出し、その平均移動速度Ｖａｖｇの算出値に応じて、下りリンク及び上りリンクの無線リソースにおけるＤＭＲＳ割当量を決定する（Ｓ１１１，Ｓ１１２）。例えば、サーバ２０は、平均移動速度Ｖａｖｇが大きいほどＤＭＲＳ割当量を多くするように決定する。ここで、ＤＭＲＳ割当量は、例えば、無線リソースにおける１サブフレームあたりに又は１スロットあたりにＤＭＲＳを割り当てるリソースエレメント（１サブキャリア×１シンボル）の数である。
【００２９】
次に、サーバ２０は、上記決定したＤＭＲＳ割当量の情報をＥＰＣ装置１１に送信してフィードバックする（Ｓ１１３）。サーバ２０は、上記決定したＤＭＲＳ割当量の情報を、Ｖ２Ｘサービスの品質を規定するＱｏＳ（Ｑｕａｌｉｔｙ  ｏｆ  Ｓｅｒｖｉｃｅ）の情報の一部としてＥＰＣ装置１１にフィードバックしてもよい。また、サーバ２０は、上記決定したＤＭＲＳ割当量の情報を、基地局３０に直接フィードバックしてもよいし、コアネットワーク１０に接続されてＵＥの移動を関するＶ２Ｘ等のアプリケーションを管理するアプリケーションサーバ（例えば前述のＶＡＥ）にフィードバックしてもよい。
【００３０】
ＥＰＣ装置１１は、サーバ２０から受信したＤＭＲＳ割当量の情報に基づいてＤＭＲＳ割当構成を決定し、その決定したＤＭＲＳ割当構成の情報を基地局３０に送信して通知する（Ｓ１１４，Ｓ１１５）。ＤＭＲＳ割当量は、セル３０Ａが複数のセクタセルで構成されている場合にはセクタセルごとに決定してもよいし、セル３０Ａ内のＵＥごとに決定してもよいし、又は、セル３０Ａ内の複数のＵＥをグループ分けしたグループごとに決定してもよい。
【００３１】
基地局３０は、ＥＰＣ装置１１から受信したＤＭＲＳ割当構成の情報に基づいて、自局内に記憶しているＤＭＲＳ割当構成の設定を更新する（Ｓ１１６）。また、基地局３０は、ＤＭＲＳ割当構成の情報をセル３０Ａ内のＵＥ４０に報知する（Ｓ１１７）。ＤＭＲＳ割当構成の情報は、例えば、物理ダウンリンク制御チャネル（ＰＤＣＣＨ）の制御情報（ＤＣＩ）により、ＵＥ４０に送信される。
【００３２】
ＵＥ４０は、基地局３０から受信したＤＭＲＳ割当構成の情報に基づいて、ＵＥ内に記憶しているＤＭＲＳ割当構成の設定を更新する（Ｓ１１８）。その後、ＵＥ４０は、更新後のＤＭＲＳ配置パターンで基地局３０から送信されてきた既知のＤＭＲＳの受信結果に基づいて、無線伝搬路（等価伝搬路）を推定し、その推定結果に基づいて下りリンクのデータ信号を復号する。また、基地局３０は、更新後のＤＭＲＳ配置パターンでＵＥ４０から送信されてきた既知のＤＭＲＳの受信結果に基づいて、無線伝搬路（等価伝搬路）を推定し、その推定結果に基づいて上りリンクのデータ信号を復号する。
【００３３】
ここで、上記ＤＭＲＳ割当構成は、例えば無線リソースの１サブフレーム又は１スロットにおいてＤＭＲＳが割り当てられるＤＭＲＳ配置パターンである。ＥＰＣ装置１１は、例えば、セル３０Ａで使用可能な無線リソースにおけるＤＭＲＳの複数の配置パターン候補（以下「ＤＭＲＳ配置パターン候補」ともいう。）の情報を予め記憶しておき、その複数のＤＭＲＳ配置パターン候補から、サーバ２０から受信したＤＭＲＳ割当量に対応するＤＭＲＳ配置パターン候補を選択して決定する。
【００３４】
図３（ａ）〜（ｄ）はそれぞれＤＭＲＳ配置パターン候補の一例を示す図である。図示の例は、１２個のサブキャリアと１４個のシンボルとからなるスロット上のＤＭＲＳ６０１〜６０４の配置パターンの４つの候補であるＤＭＲＳ配置パターン候補６０（１）〜６０（４）の例である。図３（ａ）のＤＭＲＳ配置パターン候補６０（１）は上記平均移動速度Ｖａｖｇが低速度であってＤＭＲＳ割当量を少なくした場合（下りリンク又は上りリンクのピークスループットが高い場合）に対応している。また、図３（ｂ）〜図３（ｄ）のＤＭＲＳ配置パターン候補６０（２）〜６０（４）は、その順に上記平均移動速度Ｖａｖｇがより高速度でＤＭＲＳ割当量をより多くする場合（下りリンク又は上りリンクのピークスループットがより低い場合）に対応している。
【００３５】
図４（ａ）及び（ｂ）はそれぞれＤＭＲＳ配置パターン候補の他の例を示す図である。図示の例は、１２個のサブキャリアと１４個のシンボルとからなるスロット上のＤＭＲＳ６０５〜６０８の配置パターンの２つの候補であるＤＭＲＳ配置パターン候補６０（５），６０（６）の例である。図４（ａ）のＤＭＲＳ配置パターン候補６０（５）は上記平均移動速度Ｖａｖｇが低速度であってＤＭＲＳ割当量を少なくした場合（下りリンク又は上りリンクのピークスループットが高い場合）に対応している。また、図４（ｂ）のＤＭＲＳ配置パターン候補６０（６）は、上記平均移動速度Ｖａｖｇがより高速度でＤＭＲＳ割当量をより多くする場合（下りリンク又は上りリンクのピークスループットがより低い場合）に対応している。
【００３６】
下りリンク及び上りリンクそれそれのＤＭＲＳ配置パターン候補６０（１）〜６０（４）は、例えば、図５（ａ）及び図５（ｂ）それぞれに例示する３ＧＰＰのＴＳ３８．３３１に規定されているＤＭＲＳコンフィグパラメータ要素の値で指定することができる。図５（ａ）及び図５（ｂ）のＤＭＲＳコンフィグパラメータ要素において、ｄｍｒｓ−ＴｙｐｅはＤＭＲＳの周波数方向の配置パターンを示し、ｄｍｒｓ−ａｄｄｉｔｉｏｎａｌＰｏｓｉｔｉｏｎはＤＭＲＳの時間軸方向の配置パターンを示し、ｍａｘＬｅｎｇｔｈはＤＭＲＳ列の時間軸方向の長さを示している。
【００３７】
表１は、図３（ａ）〜（ｄ）及び図４（ａ），（ｂ）のＤＭＲＳ配置パターン候補６０（１）〜６０（６）に対するＤＭＲＳコンフィグパラメータ要素の値を示している。
【表１】
0006977069.tif 000002
【００３８】
以上、図１〜図５の実施形態によれば、セル３０Ａ内のＵＥ４０の移動状況の変化に起因したＤＭＲＳ（復調用参照信号）の受信品質の低下によるチャネル推定の精度の低下を抑制し、下りリンク及び上りリンクのスループットの低下を防止することができる。
【００３９】
図６は、他の実施形態に係る移動通信システムにおける平常時のビームフォーミングの一例を示す概略構成図である。なお、図６において、前述の図１と共通する構成については説明を省略する。
【００４０】
図６の例は、５Ｇシステムの基地局３０とＬＴＥシステムの基地局３５が同じエリアに配置されている。そして、ＬＴＥシステムの基地局３５のアンテナ３６で形成しているセル（以下「ＬＴＥセル」ともいう。）３５Ａのうち道路９０が位置している部分は、例えば車両５０の自動運転を遠隔的に制御するために車両５０のＵＥ４０と低遅延の無線通信を行う必要があるため、５Ｇシステムの基地局３０が複数のビーム３０Ｂからなるビームフォーミングによって道路９０をカバーするようにセル（以下「５Ｇセル」ともいう。）３０Ａを形成している。図６の平常時の例では、道路９０を走行しているＵＥ搭載の車両５０が少ないため、５Ｇセル３０Ａを形成しているビーム３０Ｂの数が少ない（図示の例では２つのビーム）。この少ないビーム３０Ｂで５Ｇセル３０ＡをできるだけＬＴＥセル３５Ａのエリアまで広げ、広い範囲で５Ｇシステムの低遅延性を有する無線通信ができるようにしている。
【００４１】
図６の平常時の状態から道路９０上を走行しているＵＥ搭載の車両５０の数が増加して渋滞すると（後述の図８参照）、ＵＥ数が増加しているＵＥ増加エリア（端末増加エリア）が発生してセル全体のＵＥ数が増大する場合がある。この場合、特にＬＴＥセル３５Ａに割り当てられて無線リソースが逼迫し、ＬＴＥセル３５Ａ内のＵＥと基地局３５との間の無線通信の通信品質（例えば遅延特性）が劣化するおそれがある。
【００４２】
そこで、本実施形態では、道路９０上の車両５０の渋滞が発生したとき、基地局３０のアンテナ（例えば、アレイアンテナなどのＭａｓｓｉｖｅＭＩＭＯアンテナ）３１によって道路９０に沿ったＵＥ増加エリアが発生しているエリアに向けて形成しているビーム３０Ｂの数を多くするように制御している。
【００４３】
図７は、図６の移動通信システムにおける無線通信設定の制御の一例を示すシーケンス図である。本例の無線通信設定の制御は、セル３０Ａに在圏する車両５０に搭載された通信端末装置としてのＵＥ４０の情報を収集する情報収集の段階（ＵＥ情報収集フェーズ）Ｓ２００と、ＤＭＲＳの割当設定制御の段階（設定変更フェーズ）Ｓ２１０とを有する。なお、図７において、図２と供する部分については説明を省略する。
【００４４】
図７のＵＥ情報収集フェーズＳ２００において、セル３０Ａに在圏する複数の車両５０のＵＥ４０はそれぞれ、定期的に（例えば、数秒ごとに又は数分ごとに）又は不定期に、自身の移動速度及び現在位置を測定し、その移動速度及び現在位置の情報をサーバ２０に向けて送信する（Ｓ２０１，２０２）。ＵＥ４０から送信された移動速度及び現在位置の情報は、基地局３０及びコアネットワーク１０のＥＰＣ装置１１を介してサーバ２０に到達する（Ｓ２０３，Ｓ２０４）。サーバ２０は、複数のＵＥ４０から受信した移動速度及び現在位置の情報をデータベースに記憶する。サーバ２０は、ＵＥ４０の移動速度及び現在位置の情報と、下記の時刻情報とを互いに関連付けて記憶してもよい。
【００４５】
ＵＥ４０からサーバ２０への移動速度及び現在位置の情報送信頻度は、時間帯やエリアに応じて変化させてもよい。また、サーバ２０への送信情報は、送信時の現在時刻（タイムスタンプ）、移動速度の測定時刻、並びに、車両５０の停止時刻、発進時刻、進行方向及び加速度の少なくとも一つの情報を含んでもよい。車両５０に搭載されたＵＥ４０の移動速度及び現在位置は、例えば車両５０の各種センサ及び駆動制御装置から取得することができる。ＵＥ４０は現在位置を測定するＧＮＳＳ受信機などの現在位置測定装置を備える。この場合、ＵＥ４０の移動速度は、ＵＥ４０に記録されている移動履歴情報における位置情報（例えばＧＮＳＳ位置情報）の時間変化（移動距離及び移動時間）に基づいて算出してもよい。
【００４６】
また、ＵＥ情報収集フェーズＳ２００において、５Ｇシステムの基地局３０又はＬＴＥシステムの基地局３５は、セル３０Ａ又はセル３５Ａに在圏するＵＥ４０の在圏数を、セル内の予め設定した複数のエリアそれぞれについて測定し、そのエリアごとのＵＥ４０の在圏数の測定結果を、定期的に（例えば、数秒ごとに又は数分ごとに）又は不定期に、サーバ２０に向けて送信してもよい（Ｓ２０５〜２０７）。サーバ２０は、基地局３０又は基地局３５から受信した在圏数の情報をデータベースに記憶する。
【００４７】
次に、図７のＤＭＲＳの割当設定制御の段階（設定変更フェーズ）Ｓ２１０において、サーバ２０は、ＵＥ４０から受信した移動速度及び現在位置の情報に基づいて、ＬＴＥセル３５Ａ内のＵＥ増加エリアを特定する（Ｓ２１１）。特定するＵＥ増加エリアは、現在発生中のＵＥ増加エリアでもよいし、発生が予測されるＵＥ増加エリアでもよいし、その両方であってもよい。また、ＵＥ増加エリアの特定に、ＵＥ４０から受信した移動速度及び現在位置の情報に加えて又は代えて、基地局３０又は基地局３５から受信した在圏数の情報を用いてもよい。
【００４８】
次に、サーバ２０は、上記特定したＵＥ増加エリア（例えば図８に例示する車両５０の渋滞が発生している道路９０に沿ったエリア）の情報をＥＰＣ装置１１に送信してフィードバックする（Ｓ２１２）。サーバ２０は、上記特定したＵＥ増加エリアの情報を、Ｖ２Ｘサービスの品質を規定するＱｏＳの情報の一部としてＥＰＣ装置１１にフィードバックしてもよい。また、サーバ２０は、上記特定したＵＥ増加エリアの情報を、基地局３０に直接フィードバックしてもよいし、コアネットワーク１０に接続されてＵＥの移動を関するＶ２Ｘ等のアプリケーションを管理するアプリケーションサーバ（例えば前述のＶＡＥ）にフィードバックしてもよい。
【００４９】
ＥＰＣ装置１１は、サーバ２０から受信したＵＥ増加エリアの情報に基づいて５Ｇシステムの基地局３０のビームフォーミングの制御設定を決定し、その決定したビームフォーミングの制御設定の情報を基地局３０に送信して通知する（Ｓ２１３，Ｓ２１４）。
【００５０】
基地局３０は、ＥＰＣ装置１１から受信したビームフォーミングの制御設定の情報に基づいて、自局内に記憶しているビームフォーミングの制御設定を更新する（Ｓ２１５）。このビームフォーミングの制御設定の更新は、例えば、アンテナ３１で形成する複数のビーム３０Ｂの本数、複数のビーム３０Ｂそれぞれの指向性方向、複数のビーム３０Ｂそれぞれのビーム幅及び複数のビーム３０Ｂそれぞれの外縁形状の少なくとも一つの設定を変更するように行う。
【００５１】
ＵＥ増加エリア発生時（図８の道路９０の渋滞時）には、無線通信の低遅延性の重要性は相対的に低くなるため、基地局３０は、上記更新後のビームフォーミングの制御設定に基づいて、基地局３０のアンテナ３１における複数のビーム３０Ｂ’を、ＬＴＥセル３５Ａのうち無線リソースが逼迫しているＵＥ増加エリア（例えば、図８の道路９０上の車両渋滞エリア）に絞って５Ｇセル３０Ａ’を形成するようにビームフォーミングを制御する。このビームフォーミングの制御は、例えば、上記更新後のビームフォーミングの制御設定に基づいて、アンテナ３１で形成する複数のビーム３０Ｂの本数、複数のビーム３０Ｂそれぞれの指向性方向、複数のビーム３０Ｂそれぞれのビーム幅及び複数のビーム３０Ｂそれぞれの外縁形状の少なくとも一つを変更するように行うことができる。
【００５２】
以上、図６〜図８の実施形態によれば、５Ｇシステムの基地局３０からビーム３０Ｂの数を増やしてＵＥ増加エリアに絞って５Ｇセル３０Ａを形成することにより、ＬＴＥセル３５Ａ内のＵＥの位置及び移動状況の変化に起因したＬＴＥセル３５Ａの全体におけるＵＥの総数の増大によってＬＴＥセル３５Ａの無線リソースが逼迫するのを回避し、ＬＴＥセル３５Ａ内のＵＥと基地局との間の無線通信の通信品質の低下を防止することができる。また、ＵＥ増加エリア（例えば、図８の道路９０上の車両渋滞エリア）においてＬＴＥセル３５Ａから５Ｇセル３０Ａ’へのトラフィックオフロードを優勢的に行うことができる。
【００５３】
なお、図１〜図５の実施形態では、ＵＥから移動速度の情報を取得してＵＥの移動速度に基づいてＤＭＲＳ割当を算出して決定しているが、ＵＥから移動速度及び現在位置の情報を取得してＵＥの移動速度及び現在位置に基づいてＤＭＲＳ割当を算出して決定してもよい。
また、図１〜図５の実施形態で説明した無線通信設定の制御（ＤＭＲＳ割当設定制御）と、図６〜図８の実施形態で説明した無線通信設定の制御（ビームフォーミング設定制御）とを組み合わせて実施してもよい。
【００５４】
また、本明細書で説明された処理工程並びに移動通信システム、基地局及び通信端末装置（端末、端末装置、ユーザ装置（ＵＥ）、移動局、移動機）の構成要素は、様々な手段によって実装することができる。例えば、これらの工程及び構成要素は、ハードウェア、ファームウェア、ソフトウェア、又は、それらの組み合わせで実装されてもよい。
【００５５】
ハードウェア実装については、実体（例えば、各種無線通信装置、Ｎｏｄｅ Ｂ、端末、ハードディスクドライブ装置、又は、光ディスクドライブ装置）において上記工程及び構成要素を実現するために用いられる処理ユニット等の手段は、１つ又は複数の、特定用途向けＩＣ（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、本明細書で説明された機能を実行するようにデザインされた他の電子ユニット、コンピュータ、又は、それらの組み合わせの中に実装されてもよい。
【００５６】
また、ファームウェア及び／又はソフトウェア実装については、上記構成要素を実現するために用いられる処理ユニット等の手段は、本明細書で説明された機能を実行するプログラム（例えば、プロシージャ、関数、モジュール、インストラクション、などのコード）で実装されてもよい。一般に、ファームウェア及び／又はソフトウェアのコードを明確に具体化する任意のコンピュータ／プロセッサ読み取り可能な媒体が、本明細書で説明された上記工程及び構成要素を実現するために用いられる処理ユニット等の手段の実装に利用されてもよい。例えば、ファームウェア及び／又はソフトウェアコードは、例えば制御装置において、メモリに記憶され、コンピュータやプロセッサにより実行されてもよい。そのメモリは、コンピュータやプロセッサの内部に実装されてもよいし、又は、プロセッサの外部に実装されてもよい。また、ファームウェア及び／又はソフトウェアコードは、例えば、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、電気的消去可能ＰＲＯＭ（ＥＥＰＲＯＭ）、ＦＬＡＳＨメモリ、フロッピー（登録商標）ディスク、コンパクトディスク（ＣＤ）、デジタルバーサタイルディスク（ＤＶＤ）、磁気又は光データ記憶装置、などのような、コンピュータやプロセッサで読み取り可能な媒体に記憶されてもよい。そのコードは、１又は複数のコンピュータやプロセッサにより実行されてもよく、また、コンピュータやプロセッサに、本明細書で説明された機能性のある態様を実行させてもよい。
【００５７】
また、前記媒体は非一時的な記録媒体であってもよい。また、前記プログラムのコードは、コンピュータ、プロセッサ、又は他のデバイス若しくは装置機械で読み込んで実行可能であれよく、その形式は特定の形式に限定されない。例えば、前記プログラムのコードは、ソースコード、オブジェクトコード及びバイナリコードのいずれでもよく、また、それらのコードの２以上が混在したものであってもよい。
【００５８】
また、本明細書で開示された実施形態の説明は、当業者が本開示を製造又は使用するのを可能にするために提供される。本開示に対するさまざまな修正は当業者には容易に明白になり、本明細書で定義される一般的原理は、本開示の趣旨又は範囲から逸脱することなく、他のバリエーションに適用可能である。それゆえ、本開示は、本明細書で説明される例及びデザインに限定されるものではなく、本明細書で開示された原理及び新規な特徴に合致する最も広い範囲に認められるべきである。
【符号の説明】
【００５９】
１０      ：コアネットワーク
１１      ：コアネットワーク装置
２０      ：サーバ
３０      ：５Ｇシステムの基地局
３０Ａ，３０Ａ’    ：セル（５Ｇセル）
３０Ｂ，３０Ｂ’    ：ビーム
３１      ：アンテナ
３５      ：ＬＴＥシステムの基地局
３５Ａ    ：セル（ＬＴＥセル）
３６      ：アンテナ
５０      ：車両
６０      ：ＤＭＲＳ配置パターン候補
９０      ：道路
【図１】
0006977069.tif 000003
【図２】
0006977069.tif 000004
【図３】
0006977069.tif 000005
【図４】
0006977069.tif 000006
【図５】
0006977069.tif 000007
【図６】
0006977069.tif 000008
【図７】
0006977069.tif 000009
【図８】
0006977069.tif 000010